(57)【要約】【課題】急旋回時の初期応答時の安定性又は限界域での挙動を評価可能な車両操縦安定性能評価方法を提供する。【解決手段】方法は、直進走行時に所定の操舵角を入力し、入力後の車両に生じるヨーモーメントＭｚ及び横加速度Ａｙの時系列データを取得するステップ（ＳＴ１）と、時系列データにおけるヨーモーメントＭｚの最大値、横加速度Ａｙが最大である時のヨーモーメントＭｚの値、の少なくともいずれかを車両操縦安定性能の評価値として取得するステップ（ＳＴ３）と、を含む。【選択図】図２
2018096894.tif 000002
【特許請求の範囲】
【請求項１】
直進走行時に所定の操舵角を入力し、前記入力後の車両に生じるヨーモーメント及び横加速度の時系列データを取得するステップと、
前記時系列データにおけるヨーモーメントの最大値、前記横加速度が最大である時のヨーモーメントの値、の少なくともいずれかを車両操縦安定性能の評価値として取得するステップと、を含む、車両操縦安定性能評価方法。
【請求項２】
前記評価値を取得するステップは、前記ヨーモーメントの最大値を評価値として取得する、請求項１に記載の方法。
【請求項３】
前記時系列データを取得するステップは、少なくとも２つの前記時系列データを取得し、
前記評価値を取得するステップは、各々の前記時系列データにおけるヨーモーメントの最大値を評価値として取得し、
前記評価値が小さい方を初期応答時の安定性が良いと判定するステップを含む、請求項１又は２に記載の方法。
【請求項４】
前記評価値を取得するステップは、前記横加速度が最大である時のヨーモーメントの値を評価値として取得し、
前記評価値に基づいて、限界域での挙動が、コースアウト傾向、スピン傾向、良好のいずれかであると判定するステップを含む、請求項１〜３のいずれかに記載の方法。
【請求項５】
前記時系列データを取得するステップは、少なくとも２つの前記時系列データを取得し、
前記評価値を取得するステップは、各々の前記時系列データにおける前記横加速度が最大である時のヨーモーメントの値を評価値として取得し、
前記評価値が０に近い方が、限界域での挙動が安定していると判定するステップを含む、請求項１〜４のいずれかに記載の方法。
【請求項６】
直進走行時に所定の操舵角を入力し、前記入力後の車両に生じるヨーモーメント及び横加速度の時系列データを取得する時系列データ取得部と、
前記時系列データにおけるヨーモーメントの最大値、前記横加速度が最大である時のヨーモーメントの値、の少なくともいずれかを車両操縦安定性能の評価値として取得する評価値取得部と、を備える、車両操縦安定性能評価装置。
【請求項７】
前記評価値取得部は、前記ヨーモーメントの最大値を評価値として取得する、請求項６に記載の装置。
【請求項８】
前記時系列データ取得部は、少なくとも２つの前記時系列データを取得し、
前記評価値取得部は、各々の前記時系列データにおけるヨーモーメントの最大値を評価値として取得し、
前記評価値が小さい方を初期応答時の安定性が良いと判定する判定部を備える、請求項６又は７に記載の装置。
【請求項９】
前記評価値取得部は、前記横加速度が最大である時のヨーモーメントの値を評価値として取得し、
前記評価値に基づいて、限界域での挙動が、コースアウト傾向、スピン傾向、良好のいずれかであると判定する判定部を備える、請求項６〜８のいずれかに記載の装置。
【請求項１０】
前記時系列データ取得部は、少なくとも２つの前記時系列データを取得し、
前記評価値取得部は、各々の前記時系列データにおける前記横加速度が最大である時のヨーモーメントの値を評価値として取得し、
前記評価値が０に近い方が、限界域での挙動が安定していると判定する判定部を備える、請求項６〜９のいずれかに記載の装置。
【請求項１１】
請求項１〜５のいずれかに記載の方法をコンピュータに実行させるプログラム。
【発明の詳細な説明】
【技術分野】
【０００１】
本開示は、車両操縦安定性能評価方法、装置、及びプログラムに関する。
【背景技術】
【０００２】
４輪自動車の限界域を含めた車両操縦安定性能を評価することが求められている。一般的に、サーキット走行でのドライバーによる官能評価が行われるが、ドライバーの主観に依存するため、客観的な評価とは言えない。
【０００３】
特許文献１には、タイヤの操縦安定性を評価する手法として、ハンドルを左右に周期的に振る左右連続操舵を行い、それによりハンドルに加わる操舵トルクを測定し、評価を行う記載がある。
【０００４】
特許文献２には、コースに沿って車両を走行させ、ステアリングホイールの操舵角を計測しておき、操舵角の平均値が小さいほど操縦安定性が良いと定量的に評価する手法が開示されている。
【０００５】
上記いずれにも、急旋回時の初期応答時の安定性又は限界域での挙動を評価することについての記載がない。
【先行技術文献】
【特許文献】
【０００６】
【特許文献１】特開２０１５−７２１７２号公報
【特許文献２】特開２０１０−１９５６３号公報
【発明の概要】
【発明が解決しようとする課題】
【０００７】
本開示は、このような課題に着目してなされたものであって、その目的は、急旋回時の初期応答時の安定性又は限界域での挙動を評価可能な車両操縦安定性能評価方法、装置、及びプログラムを提供することである。
【課題を解決するための手段】
【０００８】
本開示は、上記目的を達成するために、次のような手段を講じている。
【０００９】
すなわち、本開示の車両操縦安定性能評価方法は、直進走行時に所定の操舵角を入力し、前記入力後の車両に生じるヨーモーメント及び横加速度の時系列データを取得するステップと、前記時系列データにおけるヨーモーメントの最大値、前記横加速度が最大である時のヨーモーメントの値、の少なくともいずれかを車両操縦安定性能の評価値として取得するステップと、を含む。
【００１０】
車両の平面運動は、車両の横滑りと回転に帰着するので、車両の運動特性は、車両のヨーモーメントと横加速度とに表れる。ヨーモーメントの最大値が初期応答時の安定性に対応し、横加速度が最大である時のヨーモーメントの値が限界域での挙動に対応する。よって、これらの少なくともいずれかを評価値とすれば、車両操縦安定性能を評価することが可能となる。
【図面の簡単な説明】
【００１１】
【図１】本開示の車両操縦安定性能評価装置を示すブロック図。
【図２】装置が実行する車両操縦安定性能評価処理ルーチンを示すフローチャート。
【図３】時系列データを得るための試験又はシミュレーションに関する説明図。
【図４】或るテストケースの横加速度−ヨーモーメントの線図。
【図５】或るテストケースの横加速度−ヨーモーメントの線図。
【図６】或るテストケースの横加速度−ヨーモーメントの線図。
【発明を実施するための形態】
【００１２】
以下、本開示の実施形態を、図面を参照して説明する。
【００１３】
［車両操縦安定性能評価装置］
装置１は、車両の操縦安定性能を評価するために使用される。
【００１４】
具体的に、装置１は、図１に示すように、時系列データ取得部１０と、ヨーモーメント−横加速度対応データ生成部１１と、評価値取得部１２と、判定部１３と、を有する。これら各部１０〜１３は、ＣＰＵ、メモリ、各種インターフェイス等を備えたパソコン等の情報処理装置においてＣＰＵが予め記憶されている図示しない処理ルーチンを実行することによりソフトウェア及びハードウェアが協働して実現される。
【００１５】
時系列データ取得部１０は、直線走行時に所定の操舵角を入力し、入力後の車両に生じるヨーモーメント及び横加速度の時系列データを取得する。図３に示すように、操舵角０°として所定速度で直進走行している時に、所定の操舵角を一気に入力し、操舵角を維持した状態にする。速度は一定速度でもよく、加速中でも制動中でもよく、適宜設定可能である。入力後の車両に生じるヨーモーメントＭｚ及び横加速度Ａｙの時系列データを取得する。図３において車両の重心をＣＧで示している。時系列データは、ヨーモーメント及び横加速度を計測可能な一連の計測装置を設けた実車を用いた試験を行い、計測結果の時系列データを入力するようにしてもよい。計測装置は、タイヤ力、タイヤ切れ角、重心位置とタイヤ力点の位置関係からヨーモーメントＭｚを算出するように構成されている。また、タイヤモデル及び車両モデルを用いたシミュレーションを実行し、シミュレーションで予測したヨーモーメント及び横加速度の時系列データを入力するようにしてもよい。シミュレーション自体を本装置で実行するように構成してもよい。
【００１６】
テスト条件としては、限界領域の特性評価を行うためには、限界円旋回条件になるのが好ましい。例えば、横加速度の最大値が、路面とタイヤの間の摩擦係数付近になるように設定するのがよい。一般的には、ドライ路面での路面タイヤ間の摩擦係数を考慮し、横加速度の最大値が０．６Ｇ以上となる時系列データを取得できるように条件を設定する。車両速度が２０〜３０ｋｍ／ｈであっても、大操舵角を入力することで０．６Ｇ以上の高加速度に達しうる。車両速度及び入力操舵で定めるとすれば、０．６Ｇの最大横加速度を得るとして、５０ｋｍ／ｈで操舵角９０°以上、１００ｋｍ／ｈの場合は操舵角３０°以上が一例として挙げられる。
【００１７】
時系列データ取得部１０は、テストケースを比較評価するために、少なくとも２つの時系列データを取得するように構成することが挙げられる。勿論、単独の評価であれば、１つの時系列データを取得するのでもよい。
【００１８】
図３に示すように、車両の平面運動は、車両の横滑りと回転に帰着するので、車両の運動特性は、車両のヨーモーメントと横加速度とに表れる。ヨーモーメントＭｚ及び横加速度Ａｙの時系列データを取得すれば、線形領域から限界領域までの挙動を捉えることができるからである。
【００１９】
横加速度対応データ生成部１１は、評価値取得部１２による評価値の取得処理を容易にするために、時間情報に基づきヨーモーメントと横加速度とを対応付けたヨーモーメント−横加速度対応データを生成する。これは、同時点におけるヨーモーメントの値と横加速度の値が一組に対応付けられ、複数組のデータを有する。これらのデータを、第１軸をヨーモーメントとし、第２軸を横加速度とする車両横加速度−ヨーモーメントの線図にプロットすれば、図４のような線図が得られる。図４は、一定速度での走行後にニュートラル状態で操舵角を入力した例と、一定速度での走行後に駆動（加速）させて操舵角を入力した例と、一定速度での走行後に制動（減速）させて操舵角を入力した例と、を示している。
【００２０】
評価値取得部１２は、時系列データにおけるヨーモーメントの最大値、横加速度が最大である時のヨーモーメントの値、の少なくともいずれかを車両操縦安定性能の評価値として取得する。本実施形態では、初期応答時の安定性及び限界域での挙動の双方を評価するために、時系列データにおけるヨーモーメントの最大値、横加速度が最大である時のヨーモーメントの値、の双方を取得しているが、いずれか一方だけでもよい。
【００２１】
判定部１３は、評価値に基づき車両操縦安定性能を評価する。
【００２２】
２つのテストケースについて初期挙動（初期応答時の安定性）を評価する場合、時系列データ取得部１０が２つの時系列データを取得し、評価値取得部１２が、各々の時系列データについてヨーモーメントの最大値を評価値として取得する。判定部１３は、評価値を比較し、評価値が小さい方を初期応答時の安定性が良いと判定する。
【００２３】
２つのテストケースについて限界域での挙動を評価する場合、評価値取得部１２は、時系列データ取得部１０が取得した２つの時系列データについて、横加速度が最大である時のヨーモーメントの値を評価値として取得する。判定部１３は、評価値を比較し、評価値が０に近い方が、限界域での挙動が安定していると判断する。また、判定部１３は、評価値に基づき、限界域での挙動が、コースアウト傾向、スピン傾向、良好のいずれかであると判定する。評価値が負で且つ０を中心とする所定範囲外であれば、コースアウト傾向であり、評価値が正で且つ０を中心とする所定範囲外であれば、スピン傾向であり、評価値が０を中心とする所定範囲内であれば、良好であると判断することが挙げられる。
【００２４】
図４に示す例の初期応答時の安定性について、ヨーモーメントＭｚの最大値は、駆動状態、制動状態、ニュートラルの順に次第に大きくなっている。したがって、この３つのテストケースでは、駆動状態が最も初期応答時の安定性がよいと、判定部１３は判断する。
【００２５】
図４に示す例の限界域での挙動について、横加速度が最大である時のヨーモーメントの値は、いずれも負値であり、０から大きく離れている。よって、判定部１３は、これらのテストケースについて、コースアウト傾向であると判断する。また、３つのテストケースのうちニュートラルが最も０に近い。よって、判定部１３は、ニュートラルが、限界域での挙動が最も安定していると判断する。
【００２６】
図５は、ＳＵＶ車両モデル、タイヤサイズ２２５／６０Ｒ１８のＣａｒＳｉｍ内製タイヤモデルを用い、速度１２０ｋｍ／ｈ、操舵角１２０°として、シミュレーションによって算出した時系列データを示す。スリップ角に対して時間遅れがない仮想タイヤ（緩和長さ０ｍ）と、時間遅れがあるタイヤ（緩和長さ１ｍ）との２つのテストケースである。
【００２７】
図５に示す例の初期応答時の安定性について、ヨーモーメントＭｚの最大値は、緩和長０ｍの方が緩和長１ｍよりも小さい。よって、判定部１３は、緩和長０ｍの方が、初期応答時の安定性が良いと判定する。時間遅れが小さいことは、後輪により早く横力が発生するので、安定性が良いことを意味し、判定部１３の判定結果が正しいことが分かる。
【００２８】
図５に示す例の限界域での挙動について、横加速度が最大である時のヨーモーメントの値は、いずれも負値であり、緩和長０ｍの方が、評価値が０に近い。よって、判定部１３は、緩和長０ｍの方が、限界域での挙動が安定していると判定する。
【００２９】
図６は、ＳＵＶ車両モデル、タイヤサイズ２２５／６０Ｒ１８のＭＦタイヤモデルを用い、速度１２０ｋｍ／ｈ、操舵角１２０°として、シミュレーションによって算出した時系列データを示す。オフロードタイヤ（ローグリップ）と、スポーツタイヤ（ハイグリップ）との２つのテストケースである。
【００３０】
図６に示す例の初期応答時の安定性について、ヨーモーメントＭｚの最大値は、オフロードタイヤもスポーツタイヤもほぼ同じである。よって、判定部１３は、両者の初期応答時の安定性が同じであると判定する。
【００３１】
図６に示す例の限界域での挙動について、横加速度が最大である時のヨーモーメントの値は、いずれも負値であり、スポーツタイヤの方が、評価値が０に近い。よって、判定部１３は、いずれもコースアウト傾向であると判定し、スポーツタイヤの方が、限界域での挙動が安定していると判定する。
【００３２】
［車両操縦安定性能評価方法］
上記装置１の動作について図１〜２を参照しつつ説明する。
【００３３】
まず、ステップＳＴ１において、時系列データ取得部１０は、直進走行時に所定の操舵角を入力し、入力後の車両に生じるヨーモーメント及び横加速度の時系列データを１以上取得する。
【００３４】
次のステップＳＴ２において、横加速度対応データ生成部１１は、時系列データに基づき、ヨーモーメント−横加速度対応データを生成する。
【００３５】
次のステップＳＴ３において、評価値取得部１２は、ヨーモーメントの最大値、横加速度が最大である時のヨーモーメントの値を車両操縦安定性能の評価値として取得する。
【００３６】
次のステップＳＴ４において、判定部１３は、評価値に基づき初期応答時の安定性を判断する。
【００３７】
次のステップＳＴ５において、判定部１３は、評価値に基づき、限界域での挙動が、コースアウト傾向、スピン傾向、良好のいずれかであると判定する。
【００３８】
次のステップＳＴ６において、判定部１３は、評価値が０に近い方が、限界域での挙動が安定していると判定する。
【００３９】
ステップＳＴ４〜６は、その全てを実行してなくてもよく、順不同であり、ステップＳＴ５４〜６のいずれを実行するかは任意に選択可能である。
【００４０】
以上のように、本実施形態の車両操縦安定性能評価方法は、直進走行時に所定の操舵角を入力し、入力後の車両に生じるヨーモーメントＭｚ及び横加速度Ａｙの時系列データを取得するステップ（ＳＴ１）と、時系列データにおけるヨーモーメントＭｚの最大値、横加速度Ａｙが最大である時のヨーモーメントＭｚの値、の少なくともいずれかを車両操縦安定性能の評価値として取得するステップ（ＳＴ３）と、を含む。
【００４１】
本実施形態の車両操縦安定性能評価装置は、直進走行時に所定の操舵角を入力し、入力後の車両に生じるヨーモーメントＭｚ及び横加速度Ａｙの時系列データを取得する時系列データ取得部１０と、時系列データにおけるヨーモーメントＭｚの最大値、横加速度Ａｙが最大である時のヨーモーメントＭｚの値、の少なくともいずれかを車両操縦安定性能の評価値として取得する評価値取得部１２と、を備える。
【００４２】
車両の平面運動は、車両の横滑りと回転に帰着するので、車両の運動特性は、車両のヨーモーメントＭｚと横加速度Ａｙとに表れる。ヨーモーメントＭｚの最大値が初期応答時の安定性に対応し、横加速度Ａｙが最大である時のヨーモーメントの値が限界域での挙動に対応する。よって、これらの少なくともいずれかを評価値とすれば、車両操縦安定性能を評価することが可能となる。
【００４３】
本実施形態の方法において、評価値を取得するステップ（ＳＴ３）は、ヨーモーメントＭｚの最大値を評価値として取得する。
本実施形態の装置において、評価値取得部１２は、ヨーモーメントＭｚの最大値を評価値として取得する。
【００４４】
前輪に対する後輪の応答が良いほど、より早く後輪に横力が発生するので、ヨーモーメントが増加から減少に転じやすい。初期応答時の安定性が良い程、ヨーモーメントの最大値が小さくなる。よって、前記ヨーモーメントの最大値を評価値とすれば、評価値が小さいほど操舵に対する後輪の応答性が良いと理解できるので、初期応答時の安定性を定量的に評価可能となる。
【００４５】
本実施形態の方法において、時系列データを取得するステップ（ＳＴ１）は、少なくとも２つの時系列データを取得し、評価値を取得するステップ（ＳＴ３）は、各々の時系列データにおけるヨーモーメントの最大値を評価値として取得する。評価値が小さい方を初期応答時の安定性が良いと判定するステップ（ＳＴ４）を含む。
本実施形態の装置において、時系列データ取得部１０は、少なくとも２つの時系列データを取得し、評価値取得部１２は、各々の時系列データにおけるヨーモーメントＭｚの最大値を評価値として取得する。評価値が小さい方を初期応答時の安定性が良いと判定する判定部１３を備える。
【００４６】
このように、ヨーモーメントＭｚの最大値を評価値とし、それを比較するだけで、定量的に初期応答時の安定性を評価することが可能となる。
【００４７】
本実施形態の方法において、評価値を取得するステップ（ＳＴ３）は、横加速度Ａｙが最大である時のヨーモーメントＭｚの値を評価値として取得する。評価値に基づいて、限界域での挙動が、コースアウト傾向、スピン傾向、良好のいずれかであると判定するステップ（ＳＴ５）を含む。
本実施形態の装置において、評価値取得部１２は、横加速度Ａｙが最大である時のヨーモーメントＭｚの値を評価値として取得する。評価値に基づいて、限界域での挙動が、コースアウト傾向、スピン傾向、良好のいずれかであると判定する判定部１３を備える。
【００４８】
このようにすれば、限界域での挙動の特性を定量的に評価することが可能となる。
【００４９】
本実施形態の方法において、時系列データを取得するステップ（ＳＴ１）は、少なくとも２つの前記時系列データを取得し、評価値を取得するステップ（ＳＴ３）は、各々の前記時系列データにおける前記横加速度が最大である時のヨーモーメントの値を評価値として取得する。評価値が０に近い方が、限界域での挙動が安定していると判定するステップ（ＳＴ６）を含む。
本実施形態の装置において、時系列データ取得部１０は、少なくとも２つの時系列データを取得し、評価値取得部１２は、各々の時系列データにおける横加速度Ａｙが最大である時のヨーモーメントＭｚの値を評価値として取得する。評価値が０に近い方が、限界域での挙動が安定していると判定する判定部１３を備える。
【００５０】
このようにすれば、限界域での挙動の安定性を評価することが可能となる。
【００５１】
本実施形態のプログラムは、上記方法を構成する各ステップをコンピュータに実行させる。
これらプログラムを実行することによっても、上記方法の奏する作用効果を得ることが可能となる。言い換えると、上記方法を使用しているとも言える。
【００５２】
以上、本開示の実施形態について図面に基づいて説明したが、具体的な構成は、これらの実施形態に限定されるものでないと考えられるべきである。本開示の範囲は、上記した実施形態の説明だけではなく特許請求の範囲によって示され、さらに特許請求の範囲と均等の意味および範囲内でのすべての変更が含まれる。
【００５３】
例えば、図１に示す各部１０〜１３は、所定プログラムをコンピュータのＣＰＵで実行することで実現しているが、各部を専用メモリや専用回路で構成してもよい。
【００５４】
横加速度対応データ生成部１１は、評価値取得部１２による処理の簡素化のために設けられるために省略可能である。また、判定部１３は、初期応答時の安定性の評価値を得ることが目的であれば、省略可能である。
【００５５】
上記の各実施形態で採用している構造を他の任意の実施形態に採用することは可能である。各部の具体的な構成は、上述した実施形態のみに限定されるものではなく、本開示の趣旨を逸脱しない範囲で種々変形が可能である。
【符号の説明】
【００５６】
１０…時系列データ取得部
１２…評価値取得部
１３…判定部
【図１】
2018096894.tif 000003
【図２】
2018096894.tif 000004
【図３】
2018096894.tif 000005
【図４】
2018096894.tif 000006
【図５】
2018096894.tif 000007
【図６】
2018096894.tif 000008